(57)【要約】【課題】簡単に装着者を識別することができる人工歯および義歯管理装置並びに義歯管理プログラム人工歯および義歯管理装置並びに義歯管理プログラムを提供する。【解決手段】上顎用の義歯１０および下顎用の義歯２０は、他人の義歯と識別するために、他人の義歯に設けられた人工歯と異なる色に着色された人工歯１０２，２０２が、歯列を形成する歯牙として左６番に配置されている。この人工歯１０２，２０２は、他人の義歯の着色された人工歯と同じ位置であれば異なる色であり、他人の義歯の着色された人工歯と異なる位置であれば同じ色とすることができる。義歯１０，２０は、義歯管理装置により管理され、装着者、色などの義歯に関する情報で検索することで、装着者を特定したり、義歯を特定したりすることができる。【選択図】図１
2014147482.tif 000002
【特許請求の範囲】
【請求項１】
義歯の歯牙として設けられる人工歯であって、他人の義歯と識別するために、前記他人の義歯に設けられた人工歯と異なる色に着色されたことを特徴とする人工歯。
【請求項２】
前記他人の義歯の着色された人工歯と同じ位置であれば異なる色であり、前記他人の義歯の着色された人工歯と異なる位置であれば同じ色が許容された請求項１記載の人工歯。
【請求項３】
前記色は複数色である請求項１または２記載の人工歯。
【請求項４】
上顎用の義歯に配置されるものと下顎用の義歯に配置されるものとを噛み合わせたときに、輪郭が繋がるように着色されている請求項１から３のいずれかの項に記載の人工歯。
【請求項５】
前記色が内側の側面に着色されている請求項１から４のいずれかの項に記載の人工歯。
【請求項６】
前記請求項１から５のいずれかの項に記載の人工歯が設けられた義歯の装着者を特定するための識別情報と、前記人工歯の色を示す着色情報と、前記人工歯の歯列における位置を示す歯式情報とが関連付けられ、格納された記憶手段と、
前記識別情報、前記着色情報、前記歯式情報を検索項目として、入力手段により入力された検索項目に基づいて前記記憶手段を検索して、結果を表示手段に表示する検索手段を備えたことを特徴とする義歯管理装置。
【請求項７】
コンピュータを、
前記請求項１から５のいずれかの項に記載の人工歯が設けられた義歯の装着者を特定するための識別情報と、前記人工歯の色を示す着色情報と、前記人工歯の歯列における位置を示す歯式情報とが関連付けられ、格納された記憶手段から、入力手段により入力された、前記識別情報、前記着色情報、前記歯式情報を検索項目として、前記記憶手段を検索して、結果を表示手段に表示する検索手段として機能させることを特徴とする義歯管理プログラム。
【発明の詳細な説明】
【技術分野】
【０００１】
本発明は、欠損または損失した歯牙に代わる義歯に設けられる人工歯と、この義歯を管理する義歯管理装置並びに義歯管理プログラムに関するものである。
【背景技術】
【０００２】
義歯から装着者を識別する技術に関し、特許文献１，２に記載されたものが知られている。
特許文献１に記載の「パーソナルティース」は、歯または擬似歯に、連番や記号を入れたプレートを埋め込んだものである。
【０００３】
特許文献２に記載の「個人データ保存装置」は、血液型、既往症、氏名などの個人データまたは個人識別番号を記憶させた素子が、歯冠補綴物に形成した穴に収められ、かつその表面を凹凸のないように蓋で被覆すると共に、記憶素子の端子にコネクタを接続して記憶データを取り出せるようにしたものである。
【先行技術文献】
【特許文献】
【０００４】
【特許文献１】実開平２−１１６４１９号公報
【特許文献２】特開平７−２４１３０１号公報
【発明の概要】
【発明が解決しようとする課題】
【０００５】
特許文献１，２に記載の従来の義歯であれば、装着者を特定するのに効果を発揮するものと思われる。しかし、特許文献１に記載の従来の人工歯では、人工歯に微小な文字で表示されるため、文字を認識し難い面がある。また、特許文献２に記載の従来の人工歯では、読取り装置が必要である。
介護施設や病院等（以下、施設と略す。）では、大勢の被介護者が使用している多数の義歯が扱われるため、義歯を見ただけで、誰のものであるか判断できるのが望ましい。
【０００６】
そこで本発明は、簡単に装着者を識別することができる人工歯および義歯管理装置並びに義歯管理プログラム人工歯および義歯管理装置並びに義歯管理プログラムを提供することを目的とする。
【課題を解決するための手段】
【０００７】
本発明の人工歯は、義歯の歯牙として設けられる人工歯であって、他人の義歯と識別するために、前記他人の義歯に設けられた人工歯と異なる色に着色されたことを特徴とする。
【０００８】
本発明の人工歯によれば、他人の義歯の着色された人工歯と異なる色としているため、人工歯の色を装着者に対応付けできる。従って、色の種類によって装着者を特定することができる。
【０００９】
前記他人の義歯の着色された人工歯と同じ位置であれば異なる色であり、前記他人の義歯の着色された人工歯と異なる位置であれば同じ色が許容されるのが望ましい。
着色された人工歯の位置が他人の義歯と異なるときに同じ色を許容することで、識別できる義歯の数を増やすことができる。
【００１０】
前記色は複数色であると、識別できる義歯の数を増やすことができる。
【００１１】
上顎用の義歯に配置されるものと下顎用の義歯に配置されるものとを噛み合わせたときに、輪郭が繋がるように着色されていると、上顎用の義歯と下顎用の義歯とを噛み合わせることで、装着者を特定することができる。
【００１２】
前記色が内側の側面に着色されていると、着色された人工歯が、口元から視認し難く、外部から発見され難いため、装着者が義歯を装着して口元を開いても、人工歯の着色が視認し難いため、装着者は、口元を気にせず笑ったり、食事をしたりすることができる。
【００１３】
本発明の義歯管理装置は、本発明の人工歯が設けられた義歯の装着者を特定するための識別情報と、前記人工歯の色を示す着色情報と、前記人工歯の歯列における位置を示す歯式情報とが関連付けられ、格納された記憶手段と、前記識別情報、前記着色情報、前記歯式情報を検索項目として、入力手段により入力された検索項目に基づいて前記記憶手段を検索して、結果を表示手段に表示する検索手段を備えたことを特徴とする。
【００１４】
本発明の義歯管理装置によれば、管理する義歯の数が多くなっても、義歯管理装置により義歯を検索したり、装着者を検索したりすることで、簡単に装着者を識別することができる。
【００１５】
本発明の義歯管理装置は、コンピュータを、前記本発明の人工歯が設けられた義歯の装着者を特定するための識別情報と、前記人工歯の色を示す着色情報と、前記人工歯の歯列における位置を示す歯式情報とが関連付けられ、格納された記憶手段から、入力手段により入力された、前記識別情報、前記着色情報、前記歯式情報を検索項目として、前記記憶手段を検索して、結果を表示手段に表示する検索手段として機能させることを特徴とする義歯管理プログラムにより実現することができる。
【発明の効果】
【００１６】
本発明の人工歯によれば、人工歯の色を装着者に対応付けできるので、色の種類によって装着者を特定することができる。従って、本発明の人工歯は、簡単に装着者を識別することができる。
【図面の簡単な説明】
【００１７】
【図１】本発明の実施の形態１に係る人工歯を配列した義歯を示す図であり、（Ａ）は上顎用の義歯を示す斜視図、（Ｂ）は、下顎用の義歯を示す斜視図である。
【図２】本発明の実施の形態１に係る義歯管理装置により義歯を管理している状態を示す図である。
【図３】図２に示す義歯管理装置の構成を示すブロック図である。
【図４】図３に示す義歯管理装置の登録画面の一例を示す図である。
【図５】図３に示す義歯管理装置の確認画面の一例を示す図である。
【図６】図３に示す義歯管理装置の検索画面の一例を示す図である。
【図７】図３に示す義歯管理装置の検索結果画面の一例を示す図である。
【図８】本発明の実施の形態２に係る人工歯を配列した上顎用の義歯と下顎用の義歯とが噛み合わせた状態を示す左側面図である。
【図９】図３に示す義歯管理装置の登録画面の一例を示す図である。
【図１０】本発明の実施の形態３に係る人工歯を配列した上顎用の義歯を示す斜視図である。
【発明を実施するための形態】
【００１８】
（実施の形態１）
本発明の実施の形態１に係る人工歯について図面に基づいて説明する。
図１（Ａ）に示す人工歯は、有床義歯である義歯１０のアーチ状の床１０１に歯牙として設けられ、歯列を形成している。本実施の形態１では、義歯１０は上顎用の総入れ歯である。
また、図１（Ｂ）に示す人工歯は、有床義歯である義歯２０のアーチ状の床２０１に歯牙として設けられ、歯列を形成している。本実施の形態１では、上顎の義歯１０に噛み合う義歯２０も総入れ歯である。
【００１９】
義歯１０，２０に配列された人工歯のうち、噛み合わせとなる上顎と下顎との両方の左側の第１臼歯を示す左６番の人工歯１０２，２０２が、同じ色に着色されている。人工歯１０２，２０２の色は、歯列における人工歯１０２，２０２の位置が同じであれば、他人が装着する義歯の色と異なるようにしている。
例えば、人工歯１０２，２０２は、他人が装着する義歯の着色された人工歯と、義歯１０，２０により管理される範囲内で異なる色とする。管理範囲は施設全体としたり、施設のフロアごととしたり、施設の部屋ごととしたりすることができる。管理範囲は、色の混同が生じないように、他の管理範囲と重ならない範囲である。従って、人工歯１０２，２０２の歯列における位置を固定的としたときには、他人が装着する義歯と異なる色としている。また、他人の義歯と管理範囲が同じで、同じ色であっても人工歯１０２，２０２の位置が異なれば混同しないため、他人の義歯と同じ色を許容している。
【００２０】
色としては、様々な種類が選定できる。例えば、赤、橙、黄、緑、青、藍、紫、白、黒などとすることができる。観察により隣接した人工歯（自然な色に成形された人工歯）との色の識別ができれば、着色された人工歯１０２，２０２は、これらの中間色とすることも可能である。
【００２１】
この人工歯１０２，２０２は、人工歯１０２，２０２を作製する際に樹脂に色剤を含有させて成形されている。従って、色剤を変更することで、所望とする色の人工歯１０２，２０２を容易に形成することができる。
【００２２】
ここで、この義歯１０，２０を管理する義歯管理装置について図２から図７に基づいて説明する。義歯管理装置３０は、義歯管理プログラムを動作させ、機能させたコンピュータである。義歯管理装置３０は、施設にて管理者が操作して、装着者が不明となった義歯の管理を行う。図２では、施設Ｓに４人（Ａ〜Ｄ）の装着者が装着する上顎用の義歯１０，１０ａ，１０ｂと下顎用の義歯２０，２０ａ，２０ｂとを義歯管理装置３０により管理している様子を示している。
義歯管理装置３０は、図３に示すように、入力手段３１と、表示手段３２と、登録手段３３と、検索手段３４と、記憶手段３５とを備えている。
【００２３】
入力手段３１は、入力操作の際に使用するもので、キーボード、タブレットなどや、マウス、ジョイスティックなどのポインティングデバイスとすることができる。
表示手段３２は、各種の画面を指示に基づいて表示するもので、ＣＲＴや、ＬＣＤ、有機ＥＬディスプレイなどとすることができる。
登録手段３３は、表示手段３２に登録画面を表示させ、管理者が入力手段３１を操作して入力された義歯１０，２０に関する登録情報を記憶手段３５へ登録する。
検索手段３４は、表示手段３２に検索画面を表示させ、管理者が入力手段３１を操作して入力された検索情報に基づいて記憶手段３５から義歯１０，２０に関する情報を検索して、検索結果画面を表示手段３２に表示する。
【００２４】
記憶手段３５は、各種の情報が読み書き可能な不揮発性メモリである。記憶手段３５は、大容量で高速アクセスが可能なハードディスク装置とすることができるが、ＳＳＤ（solid state drive）やフラッシュメモリとすることができる。記憶手段３５は、義歯１０，２０に関する登録情報が格納される。
登録情報は、装着者の氏名を示す装着者情報と、性別を示す性別情報と、総入れ歯か部分入れ歯とを示す種類情報、着色された人工歯の位置を示す歯式情報と、色付き人工歯の色種別を示す着色情報とが、義歯ごとに割り振られる義歯識別情報に関連付けられている。装着者情報は、装着者を特定するための識別情報であり、氏名とする他に、番号としたり、英文字としたり、その組み合わせとしたりすることができる。また、義歯識別情報も、数字としたり、英文字としたり、またはこれらの組み合わせとすることができる。
【００２５】
以上のように構成された本発明の実施の形態１に係る義歯管理装置３０の動作および使用状態を図面に基づいて説明する。
まず、コンピュータに義歯管理プログラムを動作させることで、図示しないメニュー表示手段によりメニュー画面が表示される。メニュー画面には、「登録」か「検索」かを選択するためのボタンがそれぞれ表示されている。メニュー画面の前にログイン画面を設けても良い。
管理者は、新規な義歯を登録するときには、「登録」ボタンを押下する。そうすることにより、義歯管理装置３０の登録手段３３は、表示手段３２に図４に示す登録画面Ｐ１を表示する。
【００２６】
図４に示す登録画面Ｐ１では、装着者の氏名を入力するための氏名入力欄Ｐ１１と、性別を指定するためのラジオボタンである性別ボタンＰ１２と、総入れ歯または部分入れ歯を指定するためのラジオボタンである義歯種別ボタンＰ１３と、着色された人工歯の位置を指定するための歯式表示Ｐ１４と、色付き人工歯の色種別を指定するためのプルダウンメニューである色指定欄Ｐ１５と、入力された情報の登録を指示する「登録」ボタンＰ１６と、入力された情報を消去する「クリア」ボタンＰ１７とが表示されている。
【００２７】
歯式表示Ｐ１４は、上顎と下顎のそれぞれの歯列が表示されている。歯式表示Ｐ１４では、着色された人工歯の位置に該当する歯を入力手段３１のマウス等により押下することで、歯が反転表示されて指定されたことが管理者に容易に視認できるようになっている。
【００２８】
管理者は、新規な義歯に関する各情報を、登録画面Ｐ１に入力して、間違いが無ければ、「登録」ボタンＰ１６を押下する。
登録手段３３は、氏名入力欄Ｐ１１に入力された氏名を装着者情報として、性別ボタンＰ１２により指定された性別を性別情報として、義歯種別ボタンＰ１３により指定された義歯の種類は種類情報として、歯式表示Ｐ１４により指定された着色された人工歯の位置は歯式情報として、色指定欄Ｐ１５により選択された色付き人工歯の色種別は着色情報として、確認画面を表示する。このとき、義歯ごとに割り振られる義歯識別情報を生成して、確認画面Ｐ２に表示する。
【００２９】
「登録」ボタンＰ１６を押下により表示された確認画面Ｐ２を図５に示す。図５に示す確認画面Ｐ２では、氏名が「特許太郎」で、総入れ歯の上顎用の左６番が、緑色に着色されていることが示されている。
管理者は、確認画面Ｐ２により入力内容を確認して、間違いがなければ「確認」ボタンＰ２１を、入力手段３１を操作して押下する。もし、入力内容に間違いがあれば、「戻る」ボタンＰ２２を押下して、登録画面Ｐ１へ戻る。
「確認」ボタンＰ２１が押下されたことで、登録手段３３はこれらの入力した情報に義歯識別情報を関連付けて記憶手段３５に格納する。
【００３０】
このようにして、管理者は、施設に設定された管理範囲に居住する装着者の義歯１０と義歯２０とを順次、義歯管理装置３０に登録する。
【００３１】
次に、管理者が検索を行う場合を説明する。管理者がメニュー画面にて「検索」ボタンを選択した場合には、検索手段３４が表示手段３２に図６に示す検索画面Ｐ３を表示する。
【００３２】
検索画面Ｐ３では、登録番号として義歯識別情報を入力する登録番号入力欄Ｐ３１と、装着者の氏名を入力するための氏名入力欄Ｐ３２と、着色された人工歯の位置を指定するための歯式表示Ｐ３３と、色付き人工歯の色種別を指定するためのプルダウンメニューである色指定欄Ｐ３４と、入力された情報の検索を指示する「検索」ボタンＰ３５と、入力された情報を消去する「クリア」ボタンＰ３６とが表示されている。
検索項目として、管理者は登録番号で検索したい場合には登録番号入力欄Ｐ３１に義歯識別情報を入力し、氏名で検索したい場合には氏名入力欄Ｐ３２に氏名を入力し、着色した歯の位置で検索したい場合には歯式表示Ｐ３３により位置を指定し、色付き人工歯の色種別で検索したい場合には色指定欄Ｐ３４にて色を指定する。そして、管理者は「検索」ボタンＰ３５を押下する。
「検索」ボタンＰ３５を押下することで、検索手段３４は入力された検索項目に基づいて記憶手段３５を検索して表示手段３２に検索結果画面を表示する。検索項目として複数の項目が入力された場合には、検索手段３４はＡＮＤ条件で検索する。
【００３３】
例えば、施設に入居している装着者である「特許太郎」の義歯の所在が不明になったものとする。いくつかの義歯が発見されたが、どの義歯が「特許太郎」であるか否かが不明であった場合、氏名入力欄Ｐ３２に氏名を入力して検索する。
そうすることで、表示手段３２に、図７に示す検索結果画面Ｐ４が検索の結果として表示される。検索結果画面Ｐ４によれば、「特許太郎」が装着者である義歯が２個あることが検索されている。１番目の義歯は、登録番号が「Ａ００３５」であり、上顎用の総入れ歯で、左６番が緑色である。また、２番目の義歯は、登録番号が「Ａ００３６」であり、下顎用の総入れ歯で、左６番が緑色である。管理者は、この検索結果画面Ｐ４の結果に基づいて、「特許太郎」が紛失した義歯１０または義歯２０を探すことができる。
【００３４】
同様にして、例えば、食堂に義歯が放置されており、装着者が誰であるかが不明であるときには、管理者は、拾得した義歯を観察して、検索画面Ｐ３に着色された人工歯の色を入力し、歯式表示Ｐ３３に着色された人工歯の位置を指定する。そして、管理者が「検索」ボタンＰ３５を押下することで、検索手段３４により義歯の装着者が検索されるので、装着者を特定することができる。
【００３５】
装着者が、上顎の義歯１０と下顎用の義歯２０とのいずれか一方を紛失して、いずれか一方が手元にある場合には、紛失した義歯を拾得した際に、装着者を探索している対象の義歯を手元にある義歯と噛み合わせる。図１に示す上顎用の義歯１０と下顎用の義歯２０とは着色された人工歯の色が同じで、同じ位置である。従って、義歯１０，２０を噛み合わせると、着色された人工歯１０２，２０２が対向した位置で同じ色とであることがわかる。従って、管理者は、義歯管理装置３０を操作することなく、拾得した義歯の装着者を特定することができる。
【００３６】
このように本発明の実施の形態１に係る人工歯によれば、人工歯の色を装着者に対応付けできるので、色の種類によって装着者を特定することができる。従って、管理する義歯の数が少なければ、義歯管理装置３０に頼ることなく、簡単に装着者を識別することができる。また、管理する義歯の数が多くなっても、義歯管理装置３０により義歯を検索したり、装着者を検索したりすることで、簡単に装着者を識別することができる。
また、着色された人工歯の位置が他人の義歯と異なるときに同じ色を許容しているので、識別できる義歯の数を増やすことができる。
なお、本実施の形態１では、人工歯１０２，２０２全体が着色されているが、一部分の着色としてもよい。
【００３７】
（実施の形態２）
本発明の実施の形態２に係る人工歯を図面に基づいて説明する。
図８に示すように人工歯は、有床義歯である上顎用の義歯１１と下顎用の義歯２１のアーチ状の床１１１，２１１に歯牙として設けられ、歯列を形成している。
【００３８】
義歯１１，２１に配列された人工歯のうち、噛み合わせとなる上顎と下顎との両方の左５番の人工歯１１２，２１２が着色されている。
人工歯１１２，２１２は、全体が着色されていると共に、一部が全体色とは異なる色に着色されている。本実施の形態２に係る人工歯１１２，２１２では、全体色（ベース色）として青色に着色され、上下方向に縦長な輪郭の範囲を一部の色（パート色）として赤色に着色されている。パート色は、上顎用の義歯１１と下顎用の義歯２１とを噛み合わせたときに、輪郭が繋がるように着色されている。
【００３９】
これらの着色（ベース色，パート色）は、他人の義歯と同じ管理範囲であれば異なる配色（組み合わせの色）である。つまり、他人の義歯と区別できればよいので、それぞれの人工歯は、ベース色が同じでもパート色が異なったり、パート色が同じでもベース色が異なったり、ベース色とパート色の両方が異なったりするように配色する。また、歯列における位置が異なれば同じ配色を許容するものである。
【００４０】
また、義歯１１，２１の床１１１，２１１には、装着者を識別する情報が表示されている。本実施の形態２では、装着者を示す氏名が表示されている。この表示は、刻印、印刷、プレートの埋設等、様々な方法により行うことができる。
【００４１】
管理者が、この義歯１１，２１を義歯管理装置３０に登録するときには、図９に示す登録画面Ｐ５にて登録を行う。なお、図９においては図４と同じものは同符号を付す。
登録画面Ｐ５では、色指定欄として、ベース色指定欄Ｐ１８と、パート色指定欄Ｐ１９とが準備されている。登録手段３３は、ベース色指定欄Ｐ１８に入力されたベース色を第１の着色情報として、パート色指定欄Ｐ１９に入力されたパート色を第２の着色情報として、他の入力された情報と共に、義歯識別情報に関連付けて、記憶手段３５に格納する。
【００４２】
管理者が義歯１１または義歯２１を検索するときには、登録番号、氏名、歯式で検索できる他、ベース色とパート色とのいずれか一方、または両方でも検索することができる。検索手段３４は、検索画面により入力された検索項目に基づいて記憶手段３５を検索する。
【００４３】
本実施の形態２では、人工歯１１２，２１２に２色を配色しているが、３色以上としてもよい。その場合には、ベース色を複数としたり、パート色を複数としたり、それらの組み合わせとしたりすることができる。
【００４４】
人工歯への配色を単色から増やし、色の組み合わせが増えることで、管理対象となる義歯の数を増やすことができる。また、上顎用の人工歯１１２と下顎用の人工歯２１２とのそれぞれのパート色により、輪郭が繋がるように着色されているので、義歯１１，２１を噛み合わせることでパート色が連続する。従って、管理者は、義歯管理装置３０を操作することなく、拾得した義歯の装着者を特定することができる。
【００４５】
義歯１１，２１には、装着者を識別する情報が表示されているので、一目で装着者を特定することができる。しかし、施設内に同姓同名の装着者が所在する場合には、義歯管理装置３０を操作して、人工歯の歯式や色などから、確実に、装着者を特定することができる。
【００４６】
（実施の形態３）
本発明の実施の形態３に係る人工歯を図面に基づいて説明する。
図１０に示す上顎用の義歯１２は、図１（Ａ）に示す義歯１０から着色された人工歯の位置を変更したものである。義歯１２には、内側半分の側面１２１ａが着色された人工歯１２１が、右６番に配置されている。人工歯１２１の着色が歯列の内側となる側面１２１ａであるため、人工歯１２１の着色が、口元から視認し難く、外部から発見され難い。従って、装着者は、口元を気にせず笑ったり、食事をしたりすることができる。
人工歯への着色を内側面に施した場合には、左右の１番や２番としても、外側から視認し難いため、着色される人工歯の選択の範囲を拡げることができる。
【００４７】
なお、本実施の形態１〜３に係る義歯においては総入れ歯を例に説明したが、部分入れ歯でも同様に、着色した人工歯を配置することができ、義歯管理装置により管理することができる。また、有床義歯だけでなく、装着したり、取り外したりする義歯であれば、本発明の人工歯が適用でき、また、義歯管理装置により管理することができる。
【産業上の利用可能性】
【００４８】
本発明は、義歯の管理が必要なる介護施設や病院等の施設で好適である。
【符号の説明】
【００４９】
１０，１１，１２，２０，２１  義歯
１０１，１１１，２０１，２１１  床
１０２，１１２，２０２，２１２，１２１  人工歯
１２１ａ  側面
３０  義歯管理装置
３１  入力手段
３２  表示手段
３３  登録手段
３４  検索手段
３５  記憶手段
Ｐ１，Ｐ５  登録画面
Ｐ１１  氏名入力欄
Ｐ１２  性別ボタン
Ｐ１３  義歯種別ボタン
Ｐ１４  歯式表示
Ｐ１５  色指定欄
Ｐ１６  「登録」ボタン
Ｐ１７  「クリア」ボタン
Ｐ１８  ベース色指定欄
Ｐ１９  パート色指定欄
Ｐ２  確認画面
Ｐ２１  「確認」ボタン
Ｐ２２  「戻る」ボタン
Ｐ３  検索画面
Ｐ３１  登録番号入力欄
Ｐ３２  氏名入力欄
Ｐ３３  歯式表示
Ｐ３４  色指定欄
Ｐ３５  「検索」ボタン
Ｐ３６  「クリア」ボタン
Ｐ４  検索結果画面
【図３】
2014147482.tif 000003
【図７】
2014147482.tif 000004
【図１】
2014147482.tif 000005
【図２】
2014147482.tif 000006
【図４】
2014147482.tif 000007
【図５】
2014147482.tif 000008
【図６】
2014147482.tif 000009
【図８】
2014147482.tif 000010
【図９】
2014147482.tif 000011
【図１０】
2014147482.tif 000012